(57)【要約】【課題】外部附属品を取り付けるために少なくとも取り付け板と同等のスペースを挿入の為だけに設ける必要があり、取付金具周辺を小型化し、小型で見栄えのいい蓋体で良好な外観を提供するのが困難であるという課題がある。【解決手段】電子機器２０の筐体に形成され、フラッシュや、マイク等の附属品を取り付け可能な取り付け装置であって、附属品を取り付ける取付金具３と、筐体において取付金具３を収納するための開放部を塞ぐ蓋体４と、取付金具３の一端を保持し、筐体内に収納した第１の位置と、附属品を取り付け可能な第２の位置とに取付金具３を回動可能とする回動部と、を備える。【選択図】図２
2010276811.tif 000002
【特許請求の範囲】
【請求項１】
電子機器の筐体に形成され、附属品を取り付け可能な取り付け装置であって、
前記附属品を取り付ける取付金具と、
前記筐体において前記取付金具を収納するための開放部を塞ぐ蓋体と、
前記取付金具の一端を保持し、筐体内に収納した第１の位置と、前記附属品を取り付け可能な第２の位置とに前記取付金具を回動可能とする回動部と、
を備える取り付け装置。
【請求項２】
前記取付金具と一体の係止部と係合し、前記取付金具を前記第１の位置に保持する摺動板と、
前記取付金具を前記第２の位置に回動するよう付勢する付勢部と、
前記摺動板を移動可能とする操作部と、
を備える請求項１に記載の取り付け装置。
【発明の詳細な説明】
【技術分野】
【０００１】
本発明は、ビデオカメラや電子スチルカメラ、各種電子機器に搭載され、フラッシュ等のアクセサリ機器を取り付ける取り付け装置に関するものである。
【背景技術】
【０００２】
近年、ビデオカメラやデジタルスチルカメラは、ユーザーの携帯性を向上させる為、小型化が著しく、内蔵ストロボや内蔵マイクも多少機能を割り切って小型化優先でデバイスが選択される。
【０００３】
本格的な作品を制作したいユーザーは、別途設けられた取付金具に、外部マイクや外部フラッシュなど高機能だが大型の外部附属品を取り付け撮影することが可能である。
【０００４】
撮像装置に、フラッシュ装置や、ライト装置、マイク装置等のアクセサリ機器を取り付ける取付金具を備えたものは既に知られている。例えば、特許文献１には、図５〜図８に示すように、電子ビューファインダ（以下、ＥＶＦと略す）５１を操作者側である後方に引き出し自在に構成するとともに、このＥＶＦ５１の前部（被写体側の近傍箇所）に、アクセサリ機器５３を取り付け可能な取付金具５２を配設した撮像装置５０が開示されている。この撮像装置５０では、ＥＶＦ５１を操作者側に引き出すことで形成される凹部５４（図７（ｂ）参照）に、アクセサリ機器５３の装着部５３ａを挿入してアクセサリ機器５３を前方にスライドさせることで、取付金具５２にアクセサリ機器５３の装着部５３ａを挿入、係合させて、アクセサリ機器５３を撮像装置５０に取り付けることができるよう構成される。この種の撮像装置５０では、撮像装置５０の上面部中央位置に、取付金具５２が配設される。なお、図８において、撮像する際には、グリップ用ベルト５５と撮像装置５０との間に手を差し入れて、撮像装置５０のグリップ部（撮像装置５０の本体部分における右側面から上面にかけての部分）を把持しながら操作する。また、アクセサリ機器５３を使用しないときに、取付金具５２の配設箇所を覆うカバー５６が配設される。
【先行技術文献】
【特許文献】
【０００５】
【特許文献１】特開２００５−１９１７００号公報
【発明の概要】
【発明が解決しようとする課題】
【０００６】
しかしながら、特許文献１に示される従来の構成では、ＥＶＦなど移動可能なデバイスを備え、取付金具の端面を露出可能にできない限り、製品の端面に配置する必要があった。また、製品の中間部に配置する場合も、外部附属品を取り付けるために少なくとも取り付け板と同等のスペースを挿入の為だけに設ける必要があり、また、使用しないときに見栄えをよくするため、蓋体を設ける場合、少なくとも取り付け板の２倍以上の面積の蓋体が必要になり、外観を損ねてしまうという問題があった。
【課題を解決するための手段】
【０００７】
本発明の取り付け装置は、上記課題を解決するものであり、電子機器の筐体に形成され、附属品を取り付け可能な取り付け装置であって、前記附属品を取り付ける取付金具と、前記筐体において前記取付金具を収納するための開放部を塞ぐ蓋体と、前記取付金具の一端を保持し、筐体内に収納した第１の位置と、前記附属品を取り付け可能な第２の位置とに前記取付金具を回動可能とする回動部と、を備える。
【発明の効果】
【０００８】
本発明の取り付け装置によれば、取り付けの為に必要なスペースが小さくてすむため、小型化が可能であり、かつ、外観にでる扉を小さくすることが可能であり、良好な外観を得ることができる。
【図面の簡単な説明】
【０００９】
【図１】本実施の形態１における取付金具閉状態の取り付け装置の斜視図
【図２】本実施の形態１における取付金具開状態の取り付け装置の斜視図
【図３ａ】本実施の形態１における取付金具閉状態の取り付け装置の断面図
【図３ｂ】本実施の形態１における取付金具押圧状態の取り付け装置の断面図
【図３ｃ】本実施の形態１における取付金具開状態の取り付け装置の断面図
【図３ｄ】本実施の形態１における取付金具開状態の取り付け装置の断面図
【図３ｅ】本実施の形態１における取付金具開状態の取り付け装置の断面図
【図４】本実施の形態１における取り付け装置の分解斜視図
【図５】従来の撮像装置の斜視図
【図６】従来の撮像装置の平面図
【図７】従来の撮像装置にアクセサリ機器を取り付ける際の工程を示す要部拡大部分の切欠側面図
【図８】従来の撮像装置を操作者が把持した状態の斜視図
【発明を実施するための形態】
【００１０】
以下、一実施の形態における取り付け装置について、図面を用いて詳細に説明する。
【００１１】
（実施の形態１）
図１及び図２は取り付け装置が搭載されている電子機器の外観構成を示す斜視図である。本実施の形態１では電子機器の一例として、図示のようなビデオカメラを採用した。
【００１２】
ビデオカメラ２０の天面２０ａには蓋体４が開閉可能に取り付けられている。図１は蓋体４を閉じ、なおかつ、取付金具３を閉じたとき（第１の位置）のビデオカメラ２０の外観を示す斜視図である。
【００１３】
図２は蓋体４を開き、なおかつ、取付金具３を開いたとき（第２の位置）のビデオカメラ２０の外観を示す斜視図である。
【００１４】
図３ａから図３ｅは本実施の形態１における取り付け装置の要部断面を示す図である。図３ａは取付金具３が閉じた状態であり、図１におけるＺ−Ｚ部の断面図である。蓋体４の構成、及び、動作は一般的なものなので割愛する。
【００１５】
以下に本実施の形態１における取り付け装置の構成を説明する。図４は本実施の形態１における取り付け装置の分解斜視図である。筐体１はビデオカメラ２０の外殻を形成するもので、合成樹脂成形品や金属ダイカスト等で形成され外観の品格を高める為に塗装、メッキ、蒸着などの加飾を施されることが多い。取付金具３が収納される凹部が形成され、透孔１ａが２箇所と、取り付けボス１ｂが２箇所形成されている。
【００１６】
取付金具固定板２は回動軸を挿通する透孔２ａが同一軸上に２箇所と回転角度を規制する回転規制腕２ｂが２箇所と、取付金具３を取り付ける螺子透孔２ｃが３箇所形成されて透孔３ａと対峙する側には係止爪２ｄが２箇所設けられている。取り付け強度が必要な為、ステンレス鋼板などが使用される。
【００１７】
取付金具３は、デジタルカメラなどではＪＩＳＢ７１０７（カメラの附属品取付座及び、取付足）にも寸法が規定されており、おおよそ取り付け寸法は同じであるが、ビデオムービーなどではメーカーごとに独自の規格で取付金具に電気接点を設けたホットシューと呼ばれるものが利用されることが多く、材質は取り付け強度の観点から、ステンレス鋼板のバネ材が使用されることが多い。
【００１８】
蓋体４は閉じることにより、ビデオカメラ２０内部に異物が侵入するのを防止する。外部附属品を使用しない場合に蓋体４を閉じておくことで、外観の品格を高めることもできる。蓋体４は、蓋回動軸９を挿通する透孔４ａと透孔４ｂが形成され、筐体と係合するための係止爪４ｃが側面に形成されている。蓋体４は、合成樹脂を射出成形して形成したものであり、外観の品格を高める為に筐体１と同様な加飾が施されることが多い。
【００１９】
摺動固定板５は摺動板６を筐体１に締結し、回動軸８を挿通する透孔５ａとカシメピン１３を挿通する透孔５ｂを２箇所と摺動バネ７を係止するバネ係止腕５ｄと筐体１のボスに締結するための透孔５ｃからなり、取り付け板が摺動する必要がある為にステンレス鋼板を使用する。
【００２０】
摺動板６はカシメピン１３を挿通する透孔６ａとツマミ１１を装着する取り付け腕６ｂと係止部６ｃが２箇所と摺動バネ７を係止するバネ係止腕６ｄを有し、摺動固定板５上を摺動し、また、強度も必要な為、ステンレス鋼板のバネ材を使用する。
【００２１】
解除ツマミ１１は摺動板６に装着され、摺動板６を操作するときに指が痛くなく、操作性を向上させる為、合成樹脂の成形品を用いる。
【００２２】
回動軸８は軸部８ａとフランジ部８ｂからなっており、フランジと対峙する端面にはＥ型止め輪１２を装着するための溝８ｃが形成されており、ステンレス鋼などを切削して形成される。
【００２３】
回動バネ１０は固定腕１０ａと可動腕１０ｂとコイル部１０ｃからなり、ピアノ線もしくはステンレス鋼線にて形成されるねじりコイルバネである。
【００２４】
摺動バネ７は両端に取り付けフック７ａを２箇所持ち、ピアノ線もしくはステンレス鋼線にて形成される引っ張りコイルバネである。
【００２５】
蓋回動軸９はステンレス鋼線を切断した棒状のものが使用される。カシメピン１３は摺動板６の長手方向の摺動の案内と取り付けのために２段の段が形成された形状になっており、ステンレス鋼などより切削して作成する。
【００２６】
Ｅ型止め輪１２は回動軸８の抜けを防止するためのもので、ＪＩＳにて規定された標準品を使用する。組み合わせた状態で回動軸８のフランジ８ｂを抜けないように押さえることができればＥ型止め輪１２は不要である。
【００２７】
以下、組み立て方を説明する。摺動固定板５に摺動板６を載せて、カシメピン１３を２箇所かしめる。摺動時のこすれによる緩み止めが可能であれば、段付き螺子などを使用してもかまわない。次に摺動バネ７の取り付けフック７ａを摺動固定板５のバネ係止腕５ｄと摺動板６バネ係止腕６ｄの２箇所に引っ掛ける。この状態で摺動板６の取り付け腕６ｂに解除ツマミ１１を挿入する。筐体１の凹部１ｄに回動バネ１０を挿入する。この状態で上記摺動固定板のユニットをのせ、回動バネ１０の固定腕６ａを摺動固定板５の係止部６ｃに係止し、螺子１４によって筐体１の裏面から２箇所、附属品１５により筐体の外側から２箇所締結する。
【００２８】
取付金具３を取付金具固定板２に螺子１６にて３箇所締結する。本実施の形態１では３箇所としたが、強度が必要な場合は４箇所螺子にて締結してもかまわないし、また、強度が確保できるのであれば、溶接などでの締結をしてもかまわない。ここで組み立てたものを筐体１の外側より挿入する。
【００２９】
回動軸８の軸部８ａを摺動固定板５の透孔５ａに挿通し、取付金具固定板２の透孔２ａに挿通し、回動バネ１０のコイル部１０ｃに挿通し、取付金具固定板２の透孔２ａに挿通し、摺動固定板５の透孔５ａに挿通し、回動軸８の端面にＥ形止め輪１２を挿入する。
【００３０】
以下、取り付け装置の動作について、図３を用いて説明する。
【００３１】
まず、図３ａのように取付金具３が閉じられた状態では回動軸８に挿通された回動バネ１０の可動腕１０ｂは取付金具固定板２の底面をＲ方向に回転させる方向に常時付勢されている。しかしながら、取付金具固定板２の係止爪２ｄと摺動板６の係止部６ｃとが係止している為に回動不可となっている。
【００３２】
この状態で解除ツマミ１１をＸ方向に移動すると、摺動板６もＸ方向に移動され、係止部６ｃと取付金具固定板２の係止爪２ｄの係止が解除され、Ｒ方向に取付金具固定板２が回転する。
【００３３】
図３ｂは取付金具３が開（第２の位置）の状態の要部断面図である。一定角回転すると取付金具固定板２の回転規制腕２ｂが摺動固定板５の回転規制端５ｅに当接して回転が規制される。回転を規制することにより、附属品を取り付け易い角度に保持することができ、取付金具固定板２の係止爪２ｄは構成上鋭角で先端がとがっているのに対し使用者が不用意に指で触ることを防止する。
【００３４】
図３ｃは附属品１５が挿入された状態で、取付金具３が開（第２の位置）での要部断面図である。取付金具３は斜めに回動している為、その開口部は附属品１５の取り付け板１５ａは取付金具３の開口部に挿通され、螺子部１５ｂにて取付金具３に締結することができる。
【００３５】
図３ｄは取付金具３が閉（第１の位置）に移動途中の要部断面図である。附属品を図中Ｓ方向に回動すると取付金具固定板２の係止爪２ｄは摺動板６の係止部６ｃと当接する。係止爪２ｄの斜面部２ｅにより、Ｘ方向に移動させられる。係止爪先端２ｆを乗り越えると摺動板６の係止部６ｃは摺動バネ７によって付勢されている為、Ｙ方向に移動し固定される。
【００３６】
図３ｅは附属品を取り付けた状態での要部断面図である。取付金具固定板２の係止爪２ｄが摺動板６の係止部６ｃと係止している為、Ｒ方向にこじられても係止が解除されることはない。
【００３７】
附属品を取り外す場合は解除ツマミ１１をＸ方向に移動することにより、摺動板６もＸ方向に移動され、係止部６ｃと取付金具固定板２の係止爪２ｄの係止が解除され、Ｒ方向に取付金具固定板２が回動する。図３ｃの状態となり、附属品１５の螺子部１５ｂを緩めることにより、Ｐ方向に取り出し可能となる。
【００３８】
以上のように、本実施の形態１における取り付け装置は、取付金具３を閉（第１の位置）から開（第２の位置）に回動可能に構成し、図３ｃに示すように、取付金具３が開（第２の位置）において、斜めから附属品１５の取り付け板１５ａを挿通し、固定することができるため、取付金具３へ附属品１５を挿通するためのスペースを別途設ける必要がなく、取り付けに必要なスペースを小さくすることができる。また、取付金具３を塞ぐ蓋体４を小型化することができ、良好な外観を得ることができる。
【産業上の利用可能性】
【００３９】
本発明の取り付け装置によれば、取り付けの為に必要なスペースが小さくてすむため、小型化が可能で、かつ、外観にでる扉を小さくすることが可能で、良好な外観を得ることができ、ビデオカメラ、電子スチルカメラなど、各種電子機器に適用することができ、有用である。
【符号の説明】
【００４０】
１  筐体
２  取付金具固定板
２ｂ  回転規制腕
２ｃ  螺子透孔
２ｄ  係止爪
３  取付金具
４  蓋体
４ａ  透孔
４ｂ  透孔
５  摺動固定板  
５ａ  透孔
５ｂ  透孔
５ｃ  透孔
５ｄ  係止腕
５ｅ  回転規制端
６  摺動板  
６ａ  透孔  
６ｂ  取り付け腕
６ｃ  係止部
６ｄ  バネ係止腕
７  摺動バネ
７ａ  取り付けフック
８  回動軸
１２  Ｅ型止め輪
１５  附属品
１５ａ  取り付け板
１５ｂ  螺子部
２０  ビデオカメラ
【図１】
2010276811.tif 000003
【図２】
2010276811.tif 000004
【図３ａ】
2010276811.tif 000005
【図３ｂ】
2010276811.tif 000006
【図３ｃ】
2010276811.tif 000007
【図３ｄ】
2010276811.tif 000008
【図３ｅ】
2010276811.tif 000009
【図４】
2010276811.tif 000010
【図５】
2010276811.tif 000011
【図６】
2010276811.tif 000012
【図７】
2010276811.tif 000013
【図８】
2010276811.tif 000014